(57)【要約】【課題】極めて安価に製造でき、ゴルフスイングを練習する者がダフりを明確に認識できる、ゴルフスイング練習器具を提供する。【解決手段】薄く、柔軟性を有する合成樹脂のシートで形成されたゴルフスイング練習器具は、ダフるとクラブヘッドの衝撃によって音が出る。この音が出ることで、ユーザはスイングがダフったことを客観的且つ明確に認識することができる。【選択図】図１
2017225537.tif 000002
【特許請求の範囲】
【請求項１】
可撓性を有し、スイングの方向を長手方向とする合成樹脂のシートと、
前記シートの、ゴルフボールが近接する側を避けて前記シートの裏面に貼付されるゴムシートと
を備える、ゴルフスイング練習器具。
【請求項２】
前記シートは透明性を有し、
前記ゴムシートは、
前記シートの長手方向に貼付される第一のゴムシートと、
前記第一のゴムシートと所定の間隙を有して、前記第一のゴムシートと略平行に、前記シートの長手方向に貼付される第二のゴムシートと
を有する、
請求項１に記載のゴルフスイング練習器具。
【請求項３】
前記シート及び前記ゴムシートには、移動防止用の穴が設けられている、請求項１または２に記載のゴルフスイング練習器具。
【請求項４】
スイングの方向を長手方向とする滑り止めシートと、
可撓性を有し、前記滑り止めシートとは別体に設けた合成樹脂の発音用シートと、
前記滑り止めシートの短手方向の端辺及び前記発音用シートの一辺を接続するための結合部と
を備えるゴルフスイング練習器具。
【発明の詳細な説明】
【技術分野】
【０００１】
本発明は、ゴルフにおけるスイングの練習を補助するための、ゴルフスイング練習器具に関する。
【背景技術】
【０００２】
多くのゴルフ愛好者は、自らのゴルフのスキルの向上を目指し、ゴルフ練習場に通い、スイングの練習をする。しかし、練習の結果、ゴルフ練習場で良いショット（ナイスショット）が打てるようになっても、コースに出るとゴルフ練習場で打った通りに打てない、ということがしばしば起こる。この原因の多くは、人工芝でできている練習場のマットの上では良いショットに見えても、良いショットになっていない場合があるからである。
つまり、練習場では、マットの上をクラブが滑るため、ナイスショットのように見えるのであるが、実際のコースではゴルフクラブのヘッドがゴルフボールを叩く直前に地面に接触してしまうからである。
この現象は「ダフり」と呼ばれ、特にアマチュアのゴルファーの間では、ゴルフ上達のネックになっている。
【０００３】
発明者はゴルフ練習場やコースでゴルフ愛好者であるアマチュアゴルファーにゴルフのスキルを教えるティーチングプロである。発明者は、ゴルフのスイングを教える過程で、練習場においては、多くのアマチュアゴルファーがダフりを自覚できないまま、良いショットが打てたと思ってしまうことに、上達を阻害する本質的な要因があると考えた。
【０００４】
つまり、練習場の人工芝のマットと実際のコースの芝との違いにより、練習場でうまく打てたアマチュアゴルファーも、コースに出るとダフってしまうことが頻繁に起こるのである。このため、練習場のマットを使った練習の中で、本当に良いショットなのか、ダフっているショットなのかを、アマチュアゴルファー達に気づかせるための方法が提案されている（例えば、特許文献１参照）
【０００５】
特許文献１には、長手方向に目盛りがついているテープを人工芝等の打面上に貼り付け、スイングの際にテープが切れる位置（ダフった位置）を正確に記録して、練習者に伝えるゴルフ練習用の手段が開示されている。
【先行技術文献】
【特許文献】
【０００６】
【特許文献１】特開２００４−１４７８５１号公報
【発明の概要】
【発明が解決しようとする課題】
【０００７】
特許文献１に開示されている練習用テープは、スイングをしたときに、テープにクラブヘッドが接触した位置が正確に記録されるという点で有効な手段である。しかしながら、特許文献１に記載の練習用テープは、ダフった１回のスイングでテープが切れてしまうため、スイングの都度、テープを貼り替えなければならない、という面倒な問題が発生する。このため、ゴルフスイングにおけるダフリを検出するための、もっと恒久的に利用可能な練習器具が求められていた。
【０００８】
本発明はかかる課題に鑑みてなされたものであり、極めて安価に製造でき、ゴルフスイングの練習者がダフりを明確に認識できる、ゴルフスイング練習器具を提供することを目的とする。
【課題を解決するための手段】
【０００９】
上記課題を解決するために、本発明のゴルフスイング練習器具は、可撓性を有し、スイングの方向を長手方向とする合成樹脂のシートと、シートの、ゴルフボールに近接する側を避けてシートの裏面に貼付されるゴムシートとを具備する。
【発明の効果】
【００１０】
本発明のゴルフスイング練習器具は、極めて安価に製造でき、この練習器具を用いることで、ゴルフの練習者は、練習場においても、良いショットであるか、ダフったショットであるかを明確に認識することができるようになる。
上記した以外の課題、構成及び効果は、以下の実施形態の説明により明らかにされる。
【図面の簡単な説明】
【００１１】
【図１】本発明の実施形態に係るゴルフスイング練習器具の三面図である。
【図２】本発明の実施形態に係るゴルフスイング練習器具と、ゴルフボールの大きさの関係を示す、一部拡大図である。
【図３】ゴルフスイング練習器具の使用方法を示す図である。
【図４】ゴルフスイング練習器具を使用して、正常なゴルフスイングでゴルフボールをヒットした状態を示す概略図と、ダフったゴルフスイングでゴルフボールをヒットした状態を示す概略図である。
【図５】別の実施形態のゴルフスイング練習器具を示す概略図である。
【発明を実施するための形態】
【００１２】
発明者は、ゴルフ練習場で人工芝のマットを使用する場合に、生徒のスイングがダフっていることを客観的に、しかも明確に認識して貰うために、これまで様々な工夫を凝らしてきた。
そして、アマチュアゴルファーである練習者のスイングにおいて、そのダフった位置を、コーチであるプロが指摘する以前に、練習者である生徒自身に認識してもらうことが重要であるという認識に至った。
【００１３】
まず、発明者は、練習者である自分の生徒がゴルフ練習場でスイングを練習する際に、ゴルフボールをヒットする側に１円玉を置いてみた。スイングがダフると、ゴルフクラブのクラブヘッドが１円玉に当たり、１円玉が飛ぶ。この方法は、生徒のスイングがダフっていることを客観的に、かつ明確に認識できる、極めて簡単な方法ではあるが、スイングの都度、１円玉が飛んでしまい、拾いに行かなくてはならないという問題が発生する。これをゴルフ練習場の２階で実施すると、１円玉を見失うことも多くなる。
【００１４】
つまり、スイングの度に飛んでしまう１円玉の代わりになるもの、しかもそれでいてゴルフスイングに対して邪魔にならない練習器具がないかを考え、これより説明するゴルフスイング練習器具を考案するに至ったのである。
本発明によるゴルフスイング練習器具は、長方形の薄いシートで構成される。このゴルフスイング練習器具を使うと、スイングがダフるとクラブヘッドがシートに衝突することで、音を発する。この音で、ユーザはダフったことを客観的に認識することができるのである。
【００１５】
［全体構成］
図１Ａは、本発明の実施形態に係るゴルフスイング練習器具１０１の正面図である。なお、大きさの参考のためにゴルフボール１０２も記している。
図１Ｂは、本発明の実施形態に係るゴルフスイング練習器具１０１の、短辺側から見た側面図である。
図１Ｃは、本発明の実施形態に係るゴルフスイング練習器具１０１の、長辺側から見た側面図である。但し、図１Ｂ及び図１Ｃでは、構造をわかりやすくするために、実際の厚みより大幅に厚めに描かれている。
図２は、ゴルフボール１０２とゴルフスイング練習器具１０１の、大きさの関係を示す、一部拡大図である。
【００１６】
本発明の実施形態に係るゴルフスイング練習器具１０１は、一例ではあるが、長辺が３０ｃｍ、短辺が１５ｃｍ、厚さ０．３〜０．５ｍｍ程度の、ポリカーボネートの透明なシート１０３に、長辺が２０ｃｍ、短辺が６．５ｃｍ、厚さ０．５ｍｍ程度の、不透明なゴムシート１０４ａ、１０４ｂが２枚、貼り付けられている。ゴムシート１０４ａ、１０４ｂはゴルフスイング練習器具１０１全体の自重を重くして、風に飛ばされないようにすると共に、またダフりによるクラブヘッドの衝撃によっても飛ばされないための滑り止めの役割を担っている。
【００１７】
２枚のゴムシート１０４ａ、１０４ｂは間隙Ｇ１０５を有して透明なシート１０３に貼り付けられている。この間隙Ｇ１０５はユーザがゴルフスイングの練習をする際の、バックスイングの目安となる。これ以降、２枚のゴムシート１０４ａ、１０４ｂの間隙Ｇ１０５によって形成される線をスイングガイド線Ｌ１０６と呼ぶ。
【００１８】
透明なシート１０３の、ゴルフボール１０２の近傍に置かれる側の短辺には、ショットガイド線Ｌ１０７が描かれている。このショットガイド線Ｌ１０７も前述の間隙Ｇ１０５と同様、ユーザがゴルフスイングの練習をする際の、スイングの目安となるものである。
但し、このショットガイド線Ｌ１０７は、必ずしも必要とはされない。このショットガイド線Ｌ１０７がいらないという練習者にとっては、ショットガイド線Ｌ１０７を除いたゴルフスイング練習器具１０１を使用してもらうことも可能である。
【００１９】
本実施形態のゴルフスイング練習器具１０１の、透明なシート１０３とゴムシート１０４ａの端には、穴Ｈ１０８が開けられている。この穴Ｈ１０８はゴルフスイング練習器具１０１がダフりによって飛ばされないように、例えばゴルフティー等を刺してゴルフスイング練習器具１０１の固定に用いるか、穴Ｈ１０８に紐を結んでゴルフバッグ等の重量物に結び付けて用いることが考えられる。
【００２０】
ゴルフスイング練習器具１０１を構成する透明なシート１０３は、上述のサイズに限定されない。但し、以下の（１）〜（３）の条件を満たすことが望ましい。
（１）ゴルフスイングにおいてバックスイング（振り上げる動作）をする時は、始動でできるだけクラブを低く動かす必要がある。そのため、ゴルフスイング練習器具１０１に厚みがあるとクラブを低く始動できなくなるので、正しいスイングにならない。したがって、透明なシート１０３の厚みは、正常なゴルフスイングにおいて、クラブヘッドにぶつからない程度に薄く形成されている必要がある。具体的には１ｍｍ以下、好ましくは０．５ｍｍ以下が望ましい。一方で、透明なシート１０３には、音を発生させるためと、ダフった際に破けない程度の剛性も求められるので、材質にもよるが、透明なシート１０３の厚みは概ね０．２ｍｍ以上が望ましい。
（２）透明なシート１０３の短辺は、ユーザのスイングフォームを邪魔しない程度に形成する必要があり、長くとも２０ｃｍ以下とすることが望ましい。
（３）透明なシート１０３の長辺は、スイングのガイドとなるゴムシート１０４ａ、１０４ｂの間隙Ｇ１０５の長さがユーザにとって有効な効果を奏することが望ましい。したがって、透明なシート１０３の長辺は２０ｃｍ〜３０ｃｍの範囲に形成することが望ましい。
なお、スイングガイド線Ｌ１０６を描くことができれば、必ずしもシート１０３は透明でなくてもよい。
【００２１】
［使用方法］
以下、図３Ａ、図３Ｂ、図３Ｃ及び図３Ｄを参照して、ゴルフスイング練習器具１０１の使用方法を説明する。
図３Ａは、ゴルフスイング練習器具１０１を使用するユーザ３０１が、ゴルフクラブ３０２を振り上げ、バックスイングに入る直前の状態を示す概略図である。
図３Ｂは、ユーザ３０１がバックスイングを振り切った状態を示す概略図である。
図３Ｃは、ユーザ３０１がスイングした結果、クラブヘッド３０３がゴルフボール１０２を叩いた瞬間を示す概略図である。
図３Ｄは、ユーザ３０１がゴルフクラブ３０２を振り抜いた状態を示す概略図である。
図３Ａ、図３Ｂ、図３Ｃ及び図３Ｄを見て判るように、ユーザ３０１は自分の足元にゴルフボール１０２を置き、ユーザ３０１から見てゴルフボール１０２の右側に、ゴルフスイング練習器具１０１を敷く。ユーザ３０１はゴルフスイング練習器具１０１のスイングガイド線Ｌ１０６に沿うようにゴルフクラブ３０２を振り抜く。もし、クラブヘッド３０３がゴルフスイング練習器具１０１に衝突しても、ゴルフスイング練習器具１０１には滑り止めのゴムシート１０４ａ、１０４ｂが貼り付けられているので、容易には飛ばされることがない。
【００２２】
［作用］
図４Ａは、ユーザ３０１がゴルフスイング練習器具１０１を使用して、正常なショットを行った場合の、クラブヘッド３０３の軌跡を示す概略図である。図４Ｂは、ユーザ３０１がゴルフスイング練習器具１０１を使用して、ダフったショットを行った場合の、クラブヘッド３０３の軌跡を示す概略図である。図４Ａ及び図４Ｂに示すように、ゴルフスイング練習器具１０１は人工芝のマット４０１上に敷かれている。
【００２３】
図４Ａを見て判るように、正常なショットであれば、クラブヘッド３０３はゴルフスイング練習器具１０１に衝突することなく、ゴルフボール１０２に水平より僅かに上がった方向へ打ち込む。ゴルフボール１０２はクラブヘッド３０３から受ける衝撃の反作用で、クラブフェースの傾斜角（ロフト角）に見合った角度で上方へ飛ぶ。
【００２４】
一方、図４Ｂを見ると判るように、ダフったショットでは、クラブヘッド３０３はゴルフボール１０２に衝突する直前に、ゴルフスイング練習器具１０１に衝突する（衝突箇所Ｐ４０２）。これが「ダフった」スイングである。すると、クラブヘッド３０３はゴルフスイング練習器具１０１に衝突した箇所から跳ね返り、ゴルフボール１０２に水平より上がった方向へ打ち込む。ゴルフボール１０２はクラブヘッド３０３から受ける衝撃の反作用で上方へ飛ぶが、ロフト角の通りの方向がでない。
このとき、クラブヘッド３０３がゴルフスイング練習器具１０１に衝突する瞬間、ゴルフスイング練習器具１０１から「パシッ」という音が出るので、この音を聞いて練習者は自らダフったことを認識することができる。
【００２５】
ゴルフ練習場で練習者は、ゴルフボール１０２を人工芝（マット）４０１上に置いて、ゴルフボールを打つ練習を行う。しかし、上述したように人工芝４０１上では、スイングが多少悪くても、つまり多少のダフリが発生しても、クラブヘッド３０３がマット４０１上を滑るため、練習者はダフリに気がつかず、ナイスショットをしたような錯覚に陥ってしまう。図４Ｂからも判るように、ダフった場合でも、練習場ではゴルフボール１０２は上方へ飛んでくれるので、スイングがダフったか否かを判定することが難しいのである。
【００２６】
本実施形態のゴルフスイング練習器具１０１は、人工芝のマット４０１上に敷くため、スイングに少しでもダフリが生じると、クラブヘッドがゴルフスイング練習器具１０１のシートを叩くため、その瞬間に音が出る。音が出れば、ユーザ３０１は否応なしにスイングがダフったことを認識できる。したがって、本実施形態のゴルフスイング練習器具１０１は、ダフったときの音を聞きながら、最終的にはダフらないスイングに到達するための練習をすることができるようになる。
【００２７】
なお、ゴルフスイング練習器具１０１を構成する透明なシート１０３の材質であるが、前述のポリカーボネートの他、ポリプロピレン、ポリエチレンテレフタラート（以下「ＰＥＴ樹脂」）、塩化ビニール等、透明で可撓性を有する合成樹脂のシート１０３であれば、ゴルフスイング練習器具１０１としての利用が可能である。また、スイングガイド線Ｌ１０６を描くことができれば、透明でなくてもよい。ユーザの好みに応じて不透明あるいは色のついたシートを使うことも可能である。
【００２８】
透明なシート１０３がゴルフスイング練習器具１０１として利用可能になる条件は、クラブヘッド３０３の衝撃に対しても割れない可撓性を有することと、クラブヘッド３０３の衝撃に対して音が鳴る程度の剛性を有することである。
アクリル等の剛性の高い樹脂の様に、可撓性が不足して硬すぎると、クラブヘッド３０３の衝撃に対して割れてしまう。逆に、塩化ビニールやポリエチレンの袋の様に、薄く、剛性が不足して柔らかすぎると、クラブヘッド３０３の衝撃に対して音が鳴らず、当初の目的を達成することができない。
【００２９】
なお、本実施形態のゴルフスイング練習器具１０１に感熱紙をゼムクリップ等で貼付すると、特許文献１にあるような、ダフった位置を明示する機能も得ることができる。
また、本実施形態のゴルフスイング練習器具１０１は、１枚のシート１０３を用いて形成したが、図５に示すように、滑り止めの部分とダフりが集中するボール近傍の部分とを別体に形成し、ピン等で留めてもよい。
【００３０】
図５は、本発明の他の実施形態のゴルフスイング練習器具５０１を示す概略図である。
ゴルフスイング練習器具５０１は、可撓性を有する合成樹脂の発音用シート５０２と滑り止めシート５０３で構成される。発音用シート５０２には穴Ｈ５０２ａ、５０２ｂが、滑り止めシート５０３には穴Ｈ５０３ａ、５０３ｂが、それぞれ開けられている。これらの穴Ｈ５０２ａ、５０２ｂ穴Ｈ５０３ａ、５０３ｂは、発音用シート５０２の一辺と滑り止めシート５０３の短手方向の端辺を接続するための結合部を構成し、ゴルフティー５０４ａ、５０４ｂを刺す他、図示しないゼムクリップ等の留め具や、紐あるいは輪ゴムで縛る等にて固定する。
【００３１】
図５に示す他の実施形態例のゴルフスイング練習器具５０１では、スイングのダフリの回数が増えて、発音用シート５０１が痛み、使用できなくなった場合でも、発音用シート５０１だけを取り替えることができるので、滑り止めシート５０３は継続して使用することができるという利点がある。
【００３２】
本発明の実施形態においては、ゴルフスイング練習器具１０１、５０１を開示した。薄く、柔軟性を有する合成樹脂のシートで形成されたゴルフスイング練習器具１０１、５０１は、ダフるとクラブヘッド３０３の衝撃によって音が出る。この音が出ることで、ユーザ３０１はスイングがダフったことを客観的且つ明確に認識することができる。
【００３３】
以上、本発明の実施形態について説明したが、本発明は上記実施形態に限定されるものではなく、特許請求の範囲に記載した本発明の要旨を逸脱しない限りにおいて、他の変形例、応用例を含む。
【符号の説明】
【００３４】
１０１…ゴルフスイング練習器具、１０２…ゴルフボール、１０３…シート、１０４ａ、１０４ｂ…ゴムシート、３０１…ユーザ、３０２…ゴルフクラブ、３０３…クラブヘッド、４０１…人工芝、５０１…ゴルフスイング練習器具、５０２…発音用シート、５０３…シート、５０４ａ、５０４ｂ…ゴルフティー
【図１】
2017225537.tif 000003
【図２】
2017225537.tif 000004
【図３】
2017225537.tif 000005
【図４】
2017225537.tif 000006
【図５】
2017225537.tif 000007